(57)【要約】【課題】  施工を簡単にし省力化を実現することで、施工の工期短縮と安価な通気構法を可能とし、しかも強度および耐久性に優れた木質系外壁構造を提供する。【解決手段】  縦方向の構造材である柱２、継手間柱３、間柱４と、横方向の構造材である胴差５、継手受材６、軒桁７、土台８と、透湿防水シート１３と外壁パネル１４とを含んでなる通気構法を施した木質系外壁構造１であって、前記縦方向の構造材の奥行き方向の寸法を、前記横方向の構造材の奥行き方向の寸法よりも大きくし、木造軸組材９の内側を略面一に形成することによって、前記木造軸組材９の外側に、前記縦方向の構造材を突出させて突出部Ｔを形成し、前記木造軸組材９の外側表面に、前記突出部Ｔに沿って前記透湿防水シート１３を貼着し、前記突出部Ｔの上に前記透湿防水シート１３を介在させて前記外壁パネル１４を取り付けて、該外壁パネル１４と前記透湿防水シート１３の間に通気路Ｅを設けた。【選択図】  図１
2007051498.tif 000002
【特許請求の範囲】
【請求項１】
木質構造材、透湿防水シート、外壁パネルを含んでなり、通気構法を施した木質系外壁構造であって、
前記木質構造材における縦方向の構造材を横方向の構造材よりも突出させて、前記木質構造材の外側に突出部を形成し、前記木質構造材の外側表面に前記突出部に沿って前記透湿防水シートを貼着し、さらに前記木質構造材の外側には、前記突出部の上に、前記透湿防水シートを介在させて外壁パネルを取り付け、該外壁パネルと前記透湿防水シートの間に通気路を設けた
ことを特徴とする木質系外壁構造。
【請求項２】
前記木質構造材における縦方向の構造材の奥行き方向の寸法を、横方向の構造材の奥行き方向の寸法よりも大きくし、前記木質構造材の内側を略面一となるように形成することによって、前記木質構造材の外側に、前記縦方向の構造材を突出させて、前記突出部を形成した
ことを特徴とする請求項１に記載の木質系外壁構造。
【請求項３】
前記透湿防水シートを、前記突出部に沿わせるようにして押さえるシート押さえ手段を有する
ことを特徴とする請求項１または２に記載の木質系外壁構造。
【請求項４】
前記木質構造材における横方向の構造材の上に、前記透湿防水シートを介在させてスペーサを設けた
ことを特徴とする請求項１，２または３に記載の木質系外壁構造。
【請求項５】
前記スペーサが、前記外壁パネルと前記透湿防水シートの間の前記通気路へ通じる通気手段を有する
ことを特徴とする請求項４に記載の木質系外壁構造。
【発明の詳細な説明】
【技術分野】
【０００１】
本発明は、外壁内部に結露が発生することを防止する通気構法を施した木造軸組み工法、木造枠組み工法、木質系プレハブ工法等による木質系外壁構造に関し、しかも壁倍率の大きな耐久性のある木質系外壁構造に関する。
【背景技術】
【０００２】
従来、木造軸組み工法、木造枠組み工法、木質系プレハブ工法等による住宅の外壁においては、柱、間柱、継手間柱、枠組み材等の縦方向の構造材と、胴差、継手受材、軒桁、土台等の横方向の構造材とから構成される木質構造材の上に、ラス板、ＯＳＢ、ＭＤＦ、合板パネル等の下地パネルを張り付け、その上に湿気を通すが水は通さない透湿防水シートを貼着し、さらにその上に、通気受材や通気用胴縁材を用いることなく、湿式工法の場合は、モルタル下地パネルを張り、その上からモルタル仕上げを施し、乾式工法の場合は、サイディング等の外壁パネルを前記透湿防水シートの上に直接張り付け施工する工法が行われてきた。
【０００３】
また、木造軸組み工法、木造枠組み工法、木質系プレハブ工法等に用いられる木質構造材の上に、下地パネルを張り付けないで、前記透湿防水シートを直接貼着し、その上に、通気受材や通気用胴縁材を用いることなく、直接サイディング等の外壁パネルを張り付ける工法が行われてきた。
【０００４】
しかしながら、このような施工方法では、壁体内部は、前記木質構造材における縦方向および横方向の構造材によって、外部からの空気の流れが阻害され、壁体内部で空気が流通せず、壁体内部において結露が発生し易く大きな問題点となっていた。
【０００５】
そこで、壁体内部の結露の発生を防止するための通気構法を施した木質系外壁構造として、木質構造材の外側面に、通気受材が透湿防水シートを介して２００ｍｍ以下の釘間隔で釘着され、この通気受材の上に、表面の強度が高い外壁パネルが、１５０ｍｍ以下の釘間隔で強固に釘着一体化されて、前記外壁パネルと前記透湿防水シートとの間に通気路が形成され、さらに前記通気受材には、前記通気路へ通じる通気部としての切欠凹部が形成された木質系外壁構造が、特許文献１に記載されている。
【特許文献１】特開平１１−７１８２８号公報（第２−５頁、第１−４図および第６図）
【発明の開示】
【発明が解決しようとする課題】
【０００６】
しかしながら、前記のように、前記木質構造材における縦方向および横方向の構造材の上に、前記透湿防水シートが貼着され、その上に通気受材が釘着され、この通気受材の上に外壁パネルが釘着された通気構法を施した従来の木質系外壁構造は、壁体の結露防止には極めて有効ではあるが、前記縦方向および横方向の構造材に、前記通気受材を取り付ける手間が極めて大変であり、施工の工期が長くかかり、施工費用が高くつくといった問題点があった。
【０００７】
また、前記のような従来の通気構法を施した木質系外壁構造は、前記木質構造材における縦方向および横方向の構造材とは別体になっている前記通気受材を釘着することで、前記縦方向および横方向の構造材と結合させる工法であり、職人の技術の程度によって、前記通気受材の上に取り付けられる外壁パネルの取付強度、取付精度に差が生じていた。さらに、前記通気受材は、前記透湿防水シートの上に取り付けられているので、前記通気受材を前記透湿防水シートで覆うことができず、下地の構造材の耐久性の点で問題があった。
【０００８】
本発明は、上述した事情に鑑みてなされたもので、施工を簡単にし省力化を実現することで、施工の工期短縮と安価な通気構法を可能とし、しかも強度および耐久性に優れた木質系外壁構造を提供することを課題とする。
【課題を解決するための手段】
【０００９】
前記課題を解決するためになされた請求項１に記載の発明は、木質構造材、透湿防水シート、外壁パネルを含んでなり、通気構法を施した木質系外壁構造であって、前記木質構造材における縦方向の構造材を横方向の構造材よりも突出させて、前記木質構造材の外側に突出部を形成し、前記木質構造材の外側表面に前記突出部に沿って前記透湿防水シートを貼着し、さらに前記木質構造材の外側には、前記突出部の上に、前記透湿防水シートを介在させて外壁パネルを取り付け、該外壁パネルと前記透湿防水シートの間に通気路を設けたことを特徴とする。
【００１０】
このような請求項１に記載の発明では、前記木質構造材の外側に前記縦方向の構造材を突出させて形成した突出部の上に、前記透湿防水シートを介在させて外壁パネルを取り付けて、前記外壁パネルと前記透湿防水シートの間に通気路を設けるので、前記突出部が、前記外壁パネルと前記透湿防水シートとの間に通気路としての空間を形成するための通気受材の役割を果たす。したがって、通気受材を取り付ける手間がかからない。また、通気受材の役割を果たす前記突出部は、前記縦方向の構造材の一部であるので、前記縦方向の構造材と通気受材とが別体の構成になっている従来の木質系外壁構造に比べ、前記透湿防水シートを介在させて前記縦方向の構造材の上に取り付けられた外壁パネルの取付強度が向上する。さらに、通気受材の役割を果たす前記突出部における前記縦方向の構造材は、前記透湿防水シートで覆われることになり、下地である構造材の耐久性が向上する。
【００１１】
請求項２に記載の発明は、請求項１に記載の前記木質構造材における縦方向の構造材の奥行き方向の寸法を、横方向の構造材の奥行き方向の寸法よりも大きくし、前記木質構造材の内側を略面一となるように形成することによって、前記木質構造材の外側に、前記縦方向の構造材を突出させて、前記突出部を形成したことを特徴とする。
【００１２】
このような請求項２に記載の発明では、柱、間柱、継手間柱、枠組み材等の縦方向の構造材の奥行き方向の寸法を、土台、胴差、軒桁等の横方向の構造材の奥行き方向の寸法よりも大きくし、前記木質構造材の内側を略面一となるように形成することによって、前記木質構造材の外側に、前記縦方向の構造材が突出して、通気受材の役割を果たす前記突出部が形成される。
【００１３】
請求項３に記載の発明は、請求項１または２に記載の前記透湿防水シートを、前記突出部に沿わせるようにして押さえるシート押さえ手段を有することを特徴とする。
【００１４】
このような請求項３に記載の発明では、前記シート押さえ手段により、前記透湿防水シートが押さえられて、この透湿防水シートが前記木質構造材に密着するので、防水効果が高くなり、長期耐久性に優れた外壁構造になる。また、前記シート押さえ手段により、前記透湿防水シートが、前記突出部に沿うようにして押さえられ、また前記透湿防水シートにシワや弛みなどが発生しにくくなるので、前記透湿防水シートと前記外壁パネルとの間に、前記通気路が十分に確保される。
【００１５】
請求項４に記載の発明は、請求項１，２または３に記載の前記木質構造材における横方向の構造材の上に、前記透湿防水シートを介在させてスペーサを設けたことを特徴とする。
【００１６】
このような請求項４に記載の発明では、前記木質構造材における横方向の構造材の上では、前記スペーサにより前記透湿防水シートが押さえられる。したがって、前記横方向の構造材の上において前記透湿防水シートにシワなどが発生しにくく、この透湿防水シートと前記外壁パネルとの間に、前記通気路が十分に確保される。
【００１７】
請求項５に記載の発明は、請求項４に記載の前記スペーサが、前記外壁パネルと前記透湿防水シートの間の前記通気路へ通じる通気手段を有することを特徴とする。
【００１８】
このような請求項５に記載の発明では、前記通気路の空気が、前記スペーサの通気手段を流通することが可能になる。
【発明の効果】
【００１９】
請求項１に記載の発明によれば、前記木質構造材における縦方向の構造材を横方向の構造材よりも突出させて形成した突出部が、通気受材の役割を果たすので、通気受材を取り付ける手間を省くことができる。したがって、施工を簡単にし省力化を実現することができ、これによって施工の工期短縮と施工費用の低減を図ることができる。また、前記通気受材の役割を果たす前記突出部は、前記縦方向の構造材の一部であるので、前記縦方向の構造材と通気受材とが別体の構成になっている従来の木質系外壁構造に比べ、前記透湿防水シートを介在させて前記縦方向の構造材の上に取り付けられた外壁パネルの取付強度を向上させることができる。さらに、通気受材の役割を果たす前記突出部における前記縦方向の構造材が、前記透湿防水シートで覆われるので、下地である構造材の耐久性を向上させることができる。
【００２０】
請求項２に記載の発明によれば、柱、間柱、継手間柱、枠組み材等の縦方向の構造材の奥行き方向の寸法を、土台、胴差、軒桁等の横方向の構造材の奥行き方向の寸法よりも大きくし、前記木質構造材の内側を略面一となるように形成することによって、前記木質構造材の外側に、前記縦方向の構造材が突出して、通気受材の役割を果たす前記突出部を簡単に形成することができる。
【００２１】
請求項３に記載の発明によれば、前記シート押さえ手段により、前記透湿防水シートが押さえられて、この透湿防水シートが前記木質構造材に密着するので、高い防水効果を得ることができ、これによって長期耐久性に優れた外壁構造を得ることができる。また、前記シート押さえ手段により、前記透湿防水シートが、前記突出部に沿うようにして押さえられ、また前記透湿防水シートにシワや弛みなどが発生しにくくなるので、前記透湿防水シートと前記外壁パネルとの間に、前記通気路を十分に確保することができ、通気機能を十分に発揮することができる。
【００２２】
請求項４に記載の発明によれば、前記木質構造材における横方向の構造材の上において前記スペーサにより前記透湿防水シートが押さえられるのでシワや弛みが発生しにくく、この透湿防水シートと前記外壁パネルとの間に、前記通気路を十分に確保することができ、通気機能を十分に発揮させることができる。
【００２３】
請求項５に記載の発明によれば、前記通気路の空気が、前記スペーサの通気手段を流通することが可能になるので、通気機能をより一層十分に発揮させることができる。
【発明を実施するための最良の形態】
【００２４】
以下、本発明に係る木質系外壁構造の実施の形態の一例について説明する。以下の実施の形態では、木造軸組み工法における構造躯体に、本発明の木質系外壁構造を実施した例について説明する。ただし、本発明は、木造軸組み工法に適用されるものに限られるものではなく、木造枠組み工法や木質系プレハブ工法等にも適用できるものとする。
【００２５】
まず、実施の形態の第一例について説明する。図１は本発明の実施の形態の第一例に係る木質系外壁構造を示す斜視図、図２は図１に示す木質系外壁構造のＡ−Ａ線切断端面図、図３は図２の一部拡大図、図４は図１に示す木質系外壁構造における縦方向の構造材により形成される突出部を示す斜視図である。
【００２６】
図１〜図３には、出隅コーナー部付近の木質系外壁構造１が示されており、以下この出隅コーナー部付近を例にとって本例の木質系外壁構造１を説明する。ただし、たとえば入隅コーナー部やコーナー部以外の部分等、出隅コーナー部以外の部分についても同様の外壁構造になっている。
【００２７】
第一例の木造軸組み工法による木質系外壁構造１では、縦方向の構造材として、柱２、継手間柱３、間柱４が垂直方向に設けられている。前記柱２は、約１間（約１８００ｍｍ）ピッチで設けられており、出隅コーナー部にも設けられている。前記継手間柱３は、隣り合う前記柱２，２間の略中央に設けられており、前記柱２との間隔が約０．５間（約９００ｍｍ）となっている。また、前記間柱４は、前記柱２と前記継手間柱３の略中央に設けられており、前記柱２との間隔および前記継手間柱３との間隔が、約１．５尺（約４５０ｍｍ）となっている。
【００２８】
また、前記木質系外壁構造１の水平方向に取り付けられる横方向の構造材としては、胴差５、継手受材６、軒桁７、下部の土台８が設けられている。ただし、前記継手受材６は、必ず必要とする構造材ではない。後述する外壁パネル１４が、高さ方向の長さが長い長尺もの（たとえば、前記土台８から前記胴差５までの長さを有するもの、または胴差５から軒桁７までの長さを有するもの）である場合、前記継手受材６は必ずしも必要ではない。
【００２９】
本例では、木質構造材として、縦方向の構造材である前記柱２、前記継手間柱３、前記間柱４、および横方向の構造材である前記胴差５、前記継手受材６、前記軒桁７、前記土台８によって、木造軸組材９が構成されている。前記土台８の下には、基礎１０が設けられており、この基礎１０により、前記木造軸組材９が支えられている。
【００３０】
前記木造軸組材９としては、一例として、栂材、ベイツガ材、杉材、ヒノキ材、またはこれらの集成材を挙げることができる。もちろん、これら以外であってもよいものとする。
【００３１】
縦方向の構造材である前記柱２、前記継手間柱３、前記間柱４の奥行き方向の寸法は、横方向の構造材である前記胴差５、前記継手受材６、前記軒桁７、前記土台８の奥行き方向の寸法よりも大きく設定されている。一例として、前記柱２、前記継手間柱３、前記間柱４の奥行き方向の寸法を約１２０ｍｍとし、前記胴差５、前記継手受材６、前記軒桁７、前記土台８の奥行き方向の寸法を約１０５ｍｍとして、前記縦方向の構造材の奥行き方向の寸法を、前記横方向の構造材の奥行き方向の寸法よりも約１５ｍｍ大きく設定する例が挙げられる。
【００３２】
前記木造軸組材９の各構造材としては、たとえば以下のような寸法のものが一例として挙げられる。前記縦方向の構造材は、その見付寸法、奥行き寸法として、前記柱２が約１２０ｍｍ×１２０ｍｍ、前記継手間柱３が約４５ｍｍ×１２０ｍｍ、前記間柱４が約３０ｍｍ×１２０ｍｍのものである。一方で、前記横方向の構造材は、その見付寸法、奥行き寸法として、前記土台８が約１０５ｍｍ×１０５ｍｍ、前記胴差５が約１８０ｍｍ×１０５ｍｍ、前記軒桁７が約１８０ｍｍ×１０５ｍｍ、前記継手受材６が約３０ｍｍ×１０５ｍｍのものの平使いとしたものである。ただし、各構造材の寸法はこれらに限られるものではない。
【００３３】
前記木造軸組材９の内側である屋内に面した側では、前記縦方向の構造材と前記横方向の構造材とが略面一になっており、一方で、前記木造軸組材９の外側である屋外に面した側には、前記縦方向の構造材が突出して、突出部Ｔが形成されている。この突出部Ｔについて、前記木造軸組材９の一部を示す図４に基づいてもう少し詳しく説明する。図４において、基礎１０の上には横方向の構造材として土台８が設けられ、この土台８の上には縦方向の構造材として間柱４が設けられている。そして、前記間柱４の上には横方向の構造材として胴差５が設けられ（前記継手受材６は図示省略されている）、さらにこの胴差５の上に、間柱４が設けられている（前記軒桁７は図示省略されている）。前記木造軸組材９の内側では、前記間柱４，４と、前記胴差５および前記土台８とが、略面一になっており、前記木造軸組材９の外側では、前記間柱４，４の奥行き方向の寸法が前記胴差５および前記土台８の奥行き方向の寸法よりも大きい分だけ、前記間柱４，４が前記胴差５および前記土台８よりも突出して、突出部Ｔが形成されている。
【００３４】
前記突出部Ｔの突出寸法ｔは、前記縦方向の構造材の奥行き方向の寸法と前記横方向の構造材の奥行き方向の寸法との差であり、たとえば前記縦方向の構造材の奥行き方向の寸法を、前記横方向の構造材の奥行き方向の寸法よりも約１５ｍｍ大きく設定した例では、突出寸法ｔは、約１５ｍｍである。前記突出寸法ｔは、通気構法の壁体内の空気流通機能を考えると、約５〜３０ｍｍ程度が好適な範囲である。
【００３５】
前記木造軸組材９の内側である屋内に面した側の表面には、図２，図３に示すように内壁ボード１１（図１では図示省略）が取り付けられている。また、前記木造軸組材９の内部、すなわち前記内壁ボード１１と後述する外壁パネル１４の間の空間には、断熱材１２（図１では図示省略）が設けられている。
【００３６】
また、前記木造軸組材９の外側である屋外に面した側の表面には、透湿防水シート１３がステープル（図示省略）等の機械的手段を用いて貼着されている。具体的には、前記透湿防水シート１３は、前記横方向の構造材および前記断熱材１２の表面を覆い、さらに縦方向の構造材である前記柱２、前記継手間柱３、前記間柱４の前記突出部Ｔに沿ってこの突出部Ｔを覆うようにして貼着されている。前記透湿防水シート１３は、前記木造軸組材９および前記断熱材１２に密着するようにして貼着されている。ここに、前記透湿防水シート１３は、湿気を通すが水は通さないものであって、たとえばデュポン社製の商品名「タイベック」などを好適なものとして挙げることができる。
【００３７】
さらに、前記木造軸組材９の外側には、前記突出部Ｔの上に、前記透湿防水シート１３を介在させて外壁パネル１４が張り付けられており、この外壁パネル１４と前記透湿防水シート１３の間には、通気路Ｅが設けられている。前記突出部Ｔは、前記外壁パネル１４と前記透湿防水シート１３の間に空間を確保して前記通気路Ｅを形成するための通気受材の役割を果たしている。
【００３８】
前記透湿防水シート１３によって覆われている横方向の構造材、すなわち前記胴差５、前記継手受材６、前記軒桁７、前記土台８の上には、前記透湿防水シート１３を介して、スペーサ１５が、釘、ステープル、木ネジ、タッピングネジ等の機械的手段（図示省略）で取り付けられている。
【００３９】
前記スペーサ１５の厚みは、前記突出部Ｔの突出寸法ｔとほぼ同じ寸法になっており、前記突出部Ｔにおける前記透湿防水シート１３の表面と、前記スペーサ１５の表面とが略面一になるように構成されている。具体的には、前記スペーサ１５の厚みは、約５〜３０ｍｍが好適である。このように、前記スペーサ１５の厚みは、前記突出部Ｔの突出寸法ｔとほぼ同じ寸法になっているので、前記外壁パネル１４は、前記突出部Ｔにおける透湿防水シート１３と前記スペーサ１５の上に張り付けられている。
【００４０】
また、前記スペーサ１５の縦方向および横方向の寸法としては、縦方向が約３０ｍｍ〜１６０ｍｍ、横方向が約３００〜４００ｍｍ程度が好適である。
【００４１】
前記スペーサ１５としては、木材ムク、およびＬＶＬや構造用合板等の木質積層材を挙げることができる。前記ＬＶＬとは、たとえばラワン、ジョンコン、メランティー等の南洋材からなる木質単板を、その繊維方向を互いに平行にして積層接着して得られた平行合板であり、前記構造用合板とは、前記木質単板をその繊維方向を互いに略直交させて積層接着して得られたＪＡＳ１類の耐水性能を有する直交合板である。前記スペーサ１５を木質製のものとする場合、これを木質積層材とすることで、前記スペーサ１５の上に前記外壁パネル１４を張り付ける際、釘着等でしっかりと前記外壁パネル１４を固定でき、しかも木質積層材は木材ムクと比べて、節、腐れ等の欠点がなく、反りや変形にも強いので、木質系外壁構造１の強度耐久性にとって、より一層好適である。
【００４２】
また、前記スペーサ１５の材質としては、上記のものの他、合成樹脂成型体、金属製のものまたはそれらの加工体も、好適なものとして挙げることができる。合成樹脂成型体は、塩化ビニル樹脂、オレフィン樹脂、アクリル樹脂、ウレタン樹脂、ポリエステル樹脂、ＡＢＳ樹脂や、その他の合成樹脂で成型されたものが挙げられる。さらに、金属製のものとして、アルミ、ステンレス、亜鉛メッキ鋼板等を挙げることができる。
【００４３】
前記スペーサ１５により、前記横方向の構造材の上では、前記透湿防水シート１３が押さえられて、前記透湿防水シート１３にシワや弛みなどが発生しにくく、この透湿防水シート１３と前記外壁パネル１４との間に、前記通気路Ｅが十分に確保される。
【００４４】
前記スペーサ１５は、前記横方向の構造材の長手方向に、隙間Ｐをあけて複数設けられている。また、前記スペーサ１５と前記縦方向の構造材との間にも隙間Ｐが設けられている。そして、前記隙間Ｐを設けることにより、前記横方向の構造材において、前記外壁パネル１４と前記透湿防水シート１３との間に通気路Ｅが形成されている。前記隙間Ｐの寸法は、通気路Ｅが確保される寸法として、約１０〜３０ｍｍ程度が好適である。
【００４５】
第一例の木質系外壁構造１によれば、前記縦方向の構造材を前記横方向の構造材よりも突出させて形成した突出部Ｔが、通気受材の役割を果たすので、通気受材を取り付ける手間を省くことができる。また、前記縦方向の構造材の奥行き方向の寸法を、前記横方向の構造材の奥行き方向の寸法よりも大きくし、前記木造軸組材９の内側を略面一とすることによって、前記木造軸組材９の外側に前記縦方向の構造材が突出して通気受材の役割を果たす前記突出部Ｔを簡単に形成することができる。したがって、施工を簡単にし省力化を実現することができ、これによって施工の工期短縮と施工費用の低減を図ることができる。
【００４６】
また、通気受材の役割を果たす前記突出部Ｔは、前記縦方向の構造材の一部であるので、前記縦方向の構造材と通気受材とが別体の構成になっている従来の木質系外壁構造に比べ、前記透湿防水シート１３を介して前記縦方向の構造材の上に取り付けられた前記外壁パネル１４の取付強度を向上させることができる。さらに、通気受材の役割を果たす前記突出部Ｔにおける前記縦方向の構造材が、前記透湿防水シート１３で覆われているので、前記木質系外壁構造１の下地である木造軸組材９の耐久性を向上させることができる。
【００４７】
つぎに、実施の形態の第二例について説明する。図５は本発明の実施の形態の第二例に係る木質系外壁構造を示し、外壁パネルを取り付ける前の状態を示す横方向切断端面図である。第二例の木質系外壁構造２０は、透湿防水シート１３を押さえるシート押さえ手段２１が設けられている以外は、第一例の木質系外壁構造１と同じ構成になっており、以下前記シート押さえ手段２１について説明する。
【００４８】
前記シート押さえ手段２１は、前記透湿防水シート１３が、前記突出部Ｔに沿うように、かつ前記断熱材１２の表面に沿うようにして、前記木造軸組材９の外側表面に貼着されるよう、前記透湿防水シート１３を押さえる。このようなシート押さえ手段２１により、前記透湿防水シート１３が前記突出部Ｔに沿うように貼着され、前記透湿防水シート１３にシワや弛みが発生しにくくなり、前記通気路Ｅが確実に確保される。
【００４９】
前記シート押さえ手段２１は、たとえば前記突出部Ｔに、釘、ステープル、木ネジ、タッピングネジ等の機械的手段（図示省略）で取り付けられる。
【００５０】
図５に示す本例の木質系外壁構造２０では、前記シート押さえ手段２１として、両端部に前記突出部Ｔの突出寸法ｔと同じ長さを有するリブが立設された断面略Ｌ字形状の板状のシート押さえ手段２１ａと、両端部に立設されたリブが前記突出部Ｔの突出寸法ｔと同じ長さを有する断面略コの字形状の板状のシート押さえ手段２１ｂとを備えている。前記シート押さえ手段２１ａは、出隅コーナー部の前記柱２における前記突出部Ｔに沿うようにしてこの突出部Ｔに取り付けられる。また、前記シート押さえ手段２１ｂは、出隅コーナー部以外の前記柱２、および前記継手間柱３、前記間柱４（図５では間柱４）における前記突出部Ｔに沿うようにしてこの突出部Ｔに取り付けられる。
【００５１】
前記シート押さえ手段２１は、図５に示す形状のものに限られるわけではない。図６は第二例の木質系外壁構造２０で他のシート押さえ手段２１を用いた例を示す横方向切断端面図であり、この図６に示すように、前記シート押さえ手段２１は、前記柱２、および前記継手間柱３、前記間柱４（図６では、柱２および間柱４）における前記突出部Ｔの両側に沿って取り付けられ、少なくとも１辺が前記突出部Ｔの突出寸法ｔとほぼ同じ長さになっている断面略Ｌ字形状の板状のシート押さえ手段２１ｃであってもよい。
【００５２】
また、前記シート押さえ手段２１は、図７に示すものであってもよい。図７は第二例の木質系外壁構造２０で他のシート押さえ手段２１を用いた例を示す横方向切断端面図であり、この図７に示すように、前記シート押さえ手段２１は、前記柱２、および前記継手間柱３、前記間柱４（図７では、柱２および間柱４）における前記突出部Ｔの両側に沿って取り付けられ、この突出部Ｔの突出寸法ｔとほぼ同じ長さの断面略Ｉ字形状の板状のシート押さえ手段２１ｄであってもよい。
【００５３】
また、前記シート押さえ手段２１は、図８に示すものであってもよい。図８は第二例の木質系外壁構造２０で他のシート押さえ手段２１を用いた例を示す横方向切断端面図であり、この図８に示すように、前記シート押さえ手段２１は、隣り合う前記縦方向の構造材の間隔とほぼ同じ幅を有し、両端部に立設されたリブが前記突出部Ｔの突出寸法ｔと同じ長さを有する断面略コの字形状の板状のシート押さえ手段２１ｅであってもよい。このシート押さえ手段２１ｅは、隣り合う前記縦方向の構造材（図８では、柱２と間柱４）の間の前記断熱材１２の上に設けられ、この断熱材１２の表面上の前記透湿防水シート１３を押さえるとともに、両端部の前記リブによって、前記断熱材１２の表面と直交するようにして突出する前記突出部Ｔにおける前記縦方向の構造材の側面に沿って、前記透湿防水シート１３を押さえる。
【００５４】
さらに、前記シート押さえ手段２１は、図９に示すものであってもよい。図９は第二例の木質系外壁構造２０で他のシート押さえ手段２１を用いた例を示す横方向切断端面図であり、この図９に示すように、前記シート押さえ手段２１は、前記突出部Ｔの突出寸法ｔとほぼ同じ厚さを有し、隣り合う前記縦方向の構造材の間隔とほぼ同じ幅を有する平面視長方形形状の網状体で構成されるシート押さえ手段２１ｆであってもよい。このシート押さえ手段２１ｆは、隣り合う前記縦方向の構造材（図９では、柱２と間柱４）の間の前記断熱材１２の上に設けられ、この断熱材１２の表面上の前記透湿防水シート１３を押さえるとともに、幅方向の両縁部によって、前記断熱材１２の表面と直交するようにして突出する前記突出部Ｔにおける前記縦方向の構造材の側面に沿って、前記透湿防水シート１３を押さえる。
【００５５】
前記シート押さえ手段２１ｆは、前記断熱材１２の表面上に設けられて、前記通気路Ｅを形成する空間に設けられるが、網状体で構成されるので、その隙間を空気が流通することができ、通気路Ｅが確保されている。
【００５６】
その他、前記シート押さえ手段２１は、前記透湿防水シート１３が、前記突出部Ｔに沿うように、かつ前記断熱材１２の表面に沿うようにして、前記木造軸組材９の外側表面に貼着されるよう、前記透湿防水シート１３を押さえ、前記通気路Ｅを確保できるものであればよい。
【００５７】
前記シート押さえ手段２１の材質としては、たとえば塩化ビニル樹脂、オレフィン樹脂、アクリル樹脂、ウレタン樹脂、ポリエステル樹脂、ＡＢＳ樹脂や、その他の合成樹脂成型体を挙げることができる。また、前記シート押さえ手段２１のその他の材質として、アルミ、ステンレス等を挙げることができ、また前記シート押さえ手段２１が板状である場合には、亜鉛メッキ鋼板等を挙げることができる。
【００５８】
第二例の木質系外壁構造２０によれば、前記シート押さえ手段２１により、前記透湿防水シート１３が押さえられて、この透湿防水シート１３が前記木造軸組材９に密着するので、高い防水効果を得ることができ、これによって長期耐久性に優れた木質系外壁構造２０を得ることができる。また、前記シート押さえ手段２１により、前記透湿防水シート１３が、前記突出部Ｔに沿うようにして押さえられ、また前記透湿防水シート１３にシワや弛みなどが発生しにくくなるので、前記透湿防水シート１３と前記外壁パネル１４との間に前記通気路Ｅを十分に確保することができ、通気機能を十分に発揮させることができる。
【００５９】
また、前記シート押さえ手段２１は、前記縦方向の構造材に沿って取り付けられるので、前記縦方向の構造材を補強することができ、このように前記シート押さえ手段２１によって補強された前記縦方向の構造材の上に前記外壁パネル１４が取り付けられるので、前記外壁パネル１４の取付強度を向上させることができる。
【００６０】
つぎに、第一例、第二例の木質系外壁構造１，２０における前記スペーサ１５の変形例について説明する。図１０は、スペーサ１５の変形例を示す斜視図、図１１は、図１０に示すスペーサ１５の平面図、図１２は、図１０に示すスペーサ１５の側面図である。
【００６１】
図１０〜図１２に示すスペーサ１５は、直方体形状の輪郭を形成する枠体３０を有し、内部が空洞になっている。この枠体３０の寸法としては、厚みが約５〜３０ｍｍとなっていることが好適であり、また、縦方向が約３０ｍｍ〜１６０ｍｍ、横方向が約３００〜４００ｍｍ程度となっていることが好適である。
【００６２】
前記枠体３０で構成される直方体の６面の開口部３１ａ〜３１ｆのうち、側部において対向する２面の開口部３１ｃ，３１ｅは、線材３２が張られて網状に形成されている。本例のスペーサ１５では、開口状態にある前記開口部３１ａ，３１ｂ，３１ｄ，３１ｆによって、空洞になっている内部が外部と連通し、通気手段３３が形成されている。前記通気手段３３は、前記スペーサ１５が、前記横方向の構造材に取り付けられたときに、前記通気路Ｅと連通して、この通気路Ｅの空気を流通させるために形成されている。
【００６３】
前記スペーサ１５は、前記線材３２が、前記外壁パネル１４および前記木造軸組材９の前記横方向の構造材と対向するようにして、この横方向の構造材にステープル等の機械的手段によって取り付けられる。このようにして前記横方向の構造材に取り付けられた前記スペーサ１５では、その空洞になっている内部が、前記開口部３１ａ，３１ｂ，３１ｄ，３１ｆにおいて前記通気路Ｅと連通して、この通気路Ｅに前記通気手段３３が連通しており、前記通気路Ｅの空気が前記通気手段３３を流通することが可能になる。
【００６４】
前記スペーサ１５の変形例の材質としては、たとえば塩化ビニル樹脂、オレフィン樹脂、アクリル樹脂、ウレタン樹脂、ポリエステル樹脂、ＡＢＳ樹脂や、その他の合成樹脂成型体を挙げることができ、また、アルミ、ステンレス、亜鉛メッキ鋼板等の金属も挙げることができる。
【００６５】
以上説明した本例のスペーサ１５によれば、前記通気路Ｅの空気が、前記通気手段３３を流通することが可能になるので、通気機能をより一層十分に発揮させることができる。
【００６６】
つぎに、第一例、第二例の木質系外壁構造１，２０における前記スペーサ１５の他の変形例について説明する。図１３は、スペーサ１５の他の変形例を示す斜視図である。この図１３に示すスペーサ１５は、木質積層材により構成されており、具体的には、たとえば、ラワン、ジョンコン、メランティー等の南洋材からなる木質単板を、その繊維方向を互いに平行にして積層接着して得られた平行合板（ＬＶＬ）や、前記木質単板をその繊維方向を互いに略直交させて積層接着して得られた直交合板等を挙げることができる。ただし、このような木質製のものに限られるものではなく、たとえば塩化ビニル樹脂、オレフィン樹脂、アクリル樹脂、ウレタン樹脂、ポリエステル樹脂、ＡＢＳ樹脂や、その他の合成樹脂成型体であってもよい。また、アルミ、ステンレス、亜鉛メッキ鋼板等の金属製であってもよい。
【００６７】
前記スペーサ１５の寸法としては、厚みが約５〜３０ｍｍとなっていることが好適であり、また、縦方向が約３０ｍｍ〜１６０ｍｍ、横方向が約３００〜４００ｍｍ程度となっていることが好適である。
【００６８】
前記スペーサ１５の一面には、縦方向および横方向の２方向に断面略半円形の切欠凹部Ｋが形成されている。前記切欠凹部Ｋは、本例の通気手段３３を構成し、本例では、縦方向に５本、横方向に２本形成されている。
【００６９】
前記スペーサ１５は、前記切欠凹部Ｋが形成された側の面を前記横方向の構造材側へ向けて、この横方向の構造材に、釘、ステープル、木ネジ、タッピングネジ等の機械的手段（図示省略）によって取り付けられる。このようにして前記横方向の構造材に取り付けられた前記スペーサ１５では、前記通気手段３３を構成する前記切欠凹部Ｋが、前記通気路Ｅと連通し、前記通気路Ｅの空気が前記通気手段３３を流通することが可能になる。
【００７０】
以上説明した本例のスペーサ１５によっても、前記通気路Ｅの空気が、前記切欠凹部Ｋによって構成される前記通気手段３３を流通することが可能になるので、通気機能をより一層十分に発揮させることができる。
【００７１】
以上説明した本例のスペーサ１５において、前記通気路Ｅの空気が十分に流通するようになっていれば、前記切欠凹部Ｋの形状および数は、前記のものに限られるものではない。
【図面の簡単な説明】
【００７２】
【図１】本発明の実施の形態の第一例に係る木質系外壁構造を示す斜視図。
【図２】図１に示す木質系外壁構造のＡ−Ａ線切断端面図。
【図３】図２の一部拡大図。
【図４】図１に示す木質系外壁構造の縦方向の構造材により形成される突出部を示す斜視図。
【図５】本発明の実施の形態の第二例に係る木質系外壁構造を示し、外壁パネルを取り付ける前の状態を示す横方向切断端面図。
【図６】図５に示す第二例の木質系外壁構造で、他のシート押さえ手段を用いた例を示す横方向切断端面図。
【図７】図５に示す第二例の木質系外壁構造で、他のシート押さえ手段を用いた例を示す横方向切断端面図。
【図８】図５に示す第二例の木質系外壁構造で、他のシート押さえ手段を用いた例を示す横方向切断端面図。
【図９】図５に示す第二例の木質系外壁構造で、他のシート押さえ手段を用いた例を示す横方向切断端面図。
【図１０】スペーサの変形例を示す斜視図。
【図１１】図１０に示すスペーサの平面図。
【図１２】図１０に示すスペーサの側面図。
【図１３】スペーサの他の変形例を示す斜視図。
【符号の説明】
【００７３】
１，２０  木質系外壁構造
２  柱
３  継手間柱
４  間柱
５  胴差
６  継手受材
７  軒桁
８  土台
９  木造軸組材
１０  基礎
１１  内壁ボード
１２  断熱材
１３  透湿防水シート
１４  外壁パネル
１５  スペーサ
２１，２１ａ〜２１ｆ  シート押さえ手段
３０  枠体
３１ａ〜３１ｆ  開口部
３２  線材
３３  通気手段
Ｅ  通気路
Ｋ  切欠凹部
Ｐ  隙間
Ｔ  突出部
ｔ  突出寸法
【図１】
2007051498.tif 000003
【図２】
2007051498.tif 000004
【図３】
2007051498.tif 000005
【図４】
2007051498.tif 000006
【図５】
2007051498.tif 000007
【図６】
2007051498.tif 000008
【図７】
2007051498.tif 000009
【図８】
2007051498.tif 000010
【図９】
2007051498.tif 000011
【図１０】
2007051498.tif 000012
【図１１】
2007051498.tif 000013
【図１２】
2007051498.tif 000014
【図１３】
2007051498.tif 000015